(57)【要約】【課題】ケーブルを容易に接続でき、かつケーブルの脱落を的確に防止できる、シールド性に優れたケーブル接続器を提供する。【解決手段】ケーブルを接続するためのケーブル接続器であって、外周に雄ネジが形成されると共に、内部に前記ケーブルを受け入れる柱状空間が形成され、かつ前記柱状空間の中心軸と直交する方向に二分されたホルダ部を有し、前記ホルダ部は、二分された一方の半筒状体である第１ホルダ部と、二分された他方の半筒状体である第２ホルダ部とを備え、前記第１ホルダ部と前記第２ホルダ部で前記ケーブルを挟み、前記雄ネジにナットの内周に形成された前記雌ネジを螺合させて前記ホルダ部を締め付けることにより、前記ケーブルが接続される。【選択図】図２
2020087866.tif 000002
【特許請求の範囲】
【請求項１】
ケーブルを接続するためのケーブル接続器であって、
外周に雄ネジが形成されると共に、内部に前記ケーブルを受け入れる柱状空間が形成され、かつ前記柱状空間の中心軸と直交する方向に二分されたホルダ部を有し、
前記ホルダ部は、
二分された一方の半筒状体である第１ホルダ部と、
二分された他方の半筒状体である第２ホルダ部と
を備え、
前記第１ホルダ部と前記第２ホルダ部で前記ケーブルを挟み、前記雄ネジにナットの内周に形成された前記雌ネジを螺合させて前記ホルダ部を締め付けることにより、前記ケーブルが接続されることを特徴とするケーブル接続器。
【請求項２】
前記第１ホルダ部が固定された第１固定部と、
前記第２ホルダ部が固定された第２固定部と
を備え、
前記第１固定部は、前記第１ホルダ部が固定される側と反対側の端部の両サイドに凸部を備え、
前記第２固定部は、前記第２ホルダ部が固定される側と反対側の端部の両サイドに、前記凸部が挿入される溝部を備え、
前記第２固定部は、前記凸部を支点として回動することを特徴とする請求項１記載のケーブル接続器。
【請求項３】
前記溝部は、前記第２ホルダ部を閉じた状態において前記柱状空間の中心軸と直交する方向に延びる形状を有し、該溝部内で前記凸部をスライドさせることにより、前記第２固定部を前記柱状空間の中心軸と直交する方向に移動することを特徴とする請求項２記載のケーブル接続器。
【請求項４】
前記第１ホルダ部および前記第２ホルダ部のいずれかの内周壁に、前記柱状空間の中心軸と直交する方向に突出する突出部を有し、かつ前記突出部が形成されていない前記第１ホルダ部および前記第２ホルダ部のいずれかの内周壁に前記柱状空間の中心軸と直交する方向に窪む窪部を有することを特徴とする請求項１〜３の何れか一項に記載のケーブル接続器。
【請求項５】
前記柱状空間の中心軸と直交する方向における前記第１ホルダ部の断面積は同方向における前記第２ホルダ部の断面積よりも大きく形成され、前記第１ホルダ部と前記第２ホルダ部で前記ケーブルを挟み込む際には、前記第１ホルダ部に前記第２ホルダ部が嵌め込まれることを特徴とする請求項１〜４の何れか一項に記載のケーブル接続器。
【請求項６】
該ケーブル接続器は、壁面テレビ端子、分波器、分配器のいずれかであることを特徴とする請求項１〜５の何れか一項に記載のケーブル接続器。
【発明の詳細な説明】
【技術分野】
【０００１】
本発明は、たとえばテレビの同軸ケーブルを接続する壁面テレビ端子や同軸ケーブルに接続される分波器、分配器などのケーブル接続器に関する。
【背景技術】
【０００２】
従来より、家屋の壁面において同軸ケーブルに接続される端子を備えたテレビコンセントが知られている（例えば、特許文献１参照）。このテレビコンセントにおいては、図９に示すように、コンセントプレート１０７の略中央に開口している窓部１０８の高さにテレビ端子１００が配置されており、テレビコンセント１０２を組み立てた状態において、テレビ端子１００が窓部１０８に露出する。
【０００３】
このようなテレビ端子１００としては、さまざまな形態のものが用いられるが、一例として、図１０に示すように、本体部１０９の裏面に蓋１１１を備え、蓋１１１と本体部１０９の間に同軸ケーブル１１４を挟んで接続するものが存在する。ここで、図１１に示すように、蓋１１１には、同軸ケーブル１１４を押さえるための押さえ金具１１６がビス１２２で取り付けられており、押さえ金具１１６には、同軸ケーブル１１４の脱落を防止するための断面略Ｃ字状のＣ字部１１８が形成されている。
【０００４】
このテレビ端子１００に同軸ケーブル１１４を接続する場合、まず、図１０に示すように蓋１１１を開き、本体部１０９に取り付けられた筐体部１２０の孔部１２０ａに同軸ケーブル１１４の芯線１１４ａを差し込み、筐体部１２０内の金属に接触させる。次に、図１１に示すように、蓋１１１を閉じて蓋１１１と本体部１０９の間に同軸ケーブル１１４を挟み、さらに同軸ケーブル１１４を押さえ金具１１６のＣ字部１１８で押さえつけてビス１２２を締め、同軸ケーブル１１４を固定する。
【先行技術文献】
【特許文献】
【０００５】
【特許文献１】特開２００５−１２９３０８号公報
【発明の概要】
【発明が解決しようとする課題】
【０００６】
ところで、上述のテレビ端子１００のように、押さえ金具１１６で同軸ケーブル１１４を押さえつけて本体部１０９に固定する場合、本体部１０９とＣ字部１１８の間の正確な位置に同軸ケーブル１１４を挟み難く、同軸ケーブル１１４を容易に接続できなかった。また、同軸ケーブル１１４は、ビス１２２を締めることで固定されているに過ぎないため、脱落しやすいという問題があった。さらに、本体部１０９と押さえ金具１１６の間には隙間が発生するため、シールド性能が期待できなかった。
【０００７】
本発明の目的は、ケーブルを容易に接続でき、かつケーブルの脱落を的確に防止できる、シールド性に優れたケーブル接続器を提供することである。
【課題を解決するための手段】
【０００８】
本発明のケーブル接続器は、
ケーブルを接続するためのケーブル接続器であって、
外周に雄ネジが形成されると共に、内部に前記ケーブルを受け入れる柱状空間が形成され、かつ前記柱状空間の中心軸と直交する方向に二分されたホルダ部を有し、
前記ホルダ部は、
二分された一方の半筒状体である第１ホルダ部と、
二分された他方の半筒状体である第２ホルダ部と
を備え、
前記第１ホルダ部と前記第２ホルダ部で前記ケーブルを挟み、前記雄ネジにナットの内周に形成された前記雌ネジを螺合させて前記ホルダ部を締め付けることにより、前記ケーブルが接続されることを特徴とする。
【０００９】
このように、ホルダ部を第１ホルダ部と第２ホルダ部に分割して柱状空間内にケーブルを配置することにより、ケーブルを容易にケーブル接続器に接続することができ、ケーブルの脱落を防止することができる。また、ケーブルが柱状空間内に密閉されるため、シールド性を向上させることができる。
【００１０】
また、本発明のケーブル接続器は、
前記第１ホルダ部が固定された第１固定部と、
前記第２ホルダ部が固定された第２固定部と
を備え、
前記第１固定部は、前記第１ホルダ部が固定される側と反対側の端部の両サイドに凸部を備え、
前記第２固定部は、前記第２ホルダ部が固定される側と反対側の端部の両サイドに、前記凸部が挿入される溝部を備え、
前記第２固定部は、前記凸部を支点として回動することを特徴とする。
【００１１】
これにより、凸部を支点として第２固定部を回動させて第２ホルダ部を開閉できれば、第２ホルダ部を開いたときに目視にてケーブルの芯線の挿入が確認できるため、施工性を向上させることができる。
【００１２】
また、本発明のケーブル接続器は、
前記溝部は、前記第２ホルダ部を閉じた状態において前記柱状空間の中心軸と直交する方向に延びる形状を有し、該溝部内で前記凸部をスライドさせることにより、前記第２固定部を前記柱状空間の中心軸と直交する方向に移動することを特徴とする。
【００１３】
このように、溝部に凸部を挿入させたまま第２固定部をスライドさせて柱状空間の中心軸と直交する方向に第２ホルダ部を開閉できれば、柱状空間の大きさの調節が可能となり、さまざまな径のケーブルを接続することができる。
【００１４】
また、本発明のケーブル接続器は、
前記第１ホルダ部および前記第２ホルダ部のいずれかの内周壁に、前記柱状空間の中心軸と直交する方向に突出する突出部を有し、かつ前記突出部が形成されていない前記第１ホルダ部および前記第２ホルダ部のいずれかの内周壁に前記柱状空間の中心軸と直交する方向に窪む窪部を有することを特徴とする。
【００１５】
このように、それぞれの内周壁に突出部と窪部が形成されていれば、ホルダ部を閉じた際に突出部と窪部でケーブルを「く」の字状に変形させることができ、ケーブルの脱落を的確に防止することができる。
【００１６】
また、本発明のケーブル接続器は、
前記柱状空間の中心軸と直交する方向における前記第１ホルダ部の断面積は同方向における前記第２ホルダ部の断面積よりも大きく形成され、前記第１ホルダ部と前記第２ホルダ部で前記ケーブルを挟み込んだ際に、前記第１ホルダ部に前記第２ホルダ部が嵌め込まれることを特徴とする。
【００１７】
これにより、第１ホルダ部と第２ホルダ部でケーブルを挟んだ際にホルダ部の外周に隙間ができなくなり、柱状空間が密閉される。よって、柱状空間のシールド性を向上させることができる。
【００１８】
また、本発明のケーブル接続器は、
該ケーブル接続器は、壁面テレビ端子、分波器、分配器のいずれかであることを特徴とする。
すなわち、本発明のケーブル接続器は、壁面テレビ端子、分波器、分配器などに適用した場合において、好適に効果を発揮することができる。
【発明の効果】
【００１９】
本発明によれば、ケーブルを容易に接続でき、かつケーブルの脱落を的確に防止できる、シールド性に優れたケーブル接続器を提供することができる。
【図面の簡単な説明】
【００２０】
【図１】実施の形態に係る壁面テレビ端子を表面側および裏面側から視た斜視図である。
【図２】実施の形態に係る壁面テレビ端子の分解斜視図である。
【図３】実施の形態に係る壁面テレビ端子のホルダ部からナットを外した状態を示す図である。
【図４】実施の形態に係る壁面テレビ端子のホルダ部の内周面および断面形状の特徴を説明するための図である。
【図５】実施の形態に係る壁面テレビ端子において、第２ホルダ部を開いた状態を示す図である。
【図６】実施の形態に係る壁面テレビ端子において、壁面内の同軸ケーブルをホルダ部の柱状空間内に配置する状態を示す図である。
【図７】実施の形態に係る壁面テレビ端子において、壁面内の同軸ケーブルの接続が完了した状態を示す図である。
【図８】実施の形態に係る第２固定部をスライドさせてホルダ部の柱状空間の径を調整する状況を示す図である。
【図９】従来のテレビコンセントの概要を示す分解斜視図である。
【図１０】従来のテレビ端子の裏面の蓋を開いた状態を示す斜視図である。
【図１１】従来のテレビ端子の裏面の蓋を閉じて同軸ケーブルを接続した状態を示す斜視図である。
【発明を実施するための形態】
【００２１】
以下、図面を参照して、本発明の実施の形態に係るケーブル接続器について、ケーブル接続器が壁面テレビ端子である場合を例に挙げて説明する。図１（ａ）は、実施の形態に係る壁面テレビ端子２を表面側から視た斜視図であり、図１（ｂ）は、これを上下反転させて裏面側から視た斜視図である。また、図２は、壁面テレビ端子２を裏面側から視た分解斜視図である。
【００２２】
図１、２に示すように、壁面テレビ端子２は、テレビ側コネクター４、カバー６、装着部８、ホルダ部９、第１固定部１０、第２固定部１２、および接続部１６を備えている。この壁面テレビ端子２の表側はテレビ側の同軸ケーブル（不図示）との接続に用いられ、裏面側は、壁面内の同軸ケーブル２０（図３参照）との接続に用いられる。
【００２３】
テレビ側コネクター４は、上述したテレビ側の同軸ケーブルが接続される金属製の円筒であり、外部にネジ溝４ａが形成され、内部に円柱状空間４ｂが形成されている。
カバー６は、テレビ側コネクター４を露出させる円形の開口６ａが中央に形成された筐体であり、装着部８に着脱可能に装着されている。
【００２４】
装着部８は、金属製の矩形状板であり、表面側にテレビ側コネクター４、カバー６が配置され、裏面側に第１固定部１０が固定されている。
ホルダ部９は、図３に示すように、外周に雄ネジ９ｘが形成されると共に、内部に同軸ケーブル２０の先端を受け入れる柱状空間９ｙが形成され、柱状空間９ｙの中心軸Ｘと直交する方向に二分されている。すなわち、ホルダ部９は、図２に示すように、二分された一方の半筒状体である第１ホルダ部９ａと、二分された他方の半筒状体である第２ホルダ部９ｂとを含んでいる。同軸ケーブル２０を壁面テレビ端子２に接続する際には、第１ホルダ部９ａと第２ホルダ部９ｂで同軸ケーブル２０を挟み、ホルダ部９の雄ネジ９ｘにナット２２の内周に形成された雌ネジを螺合させてホルダ部９を締め付ける。なお、ここでは、半筒状体である第１ホルダ部９ａと第２ホルダ部９ｂを合わせたホルダ部９の断面形状が円形である場合を例示しているが、ホルダ部９の断面形状は楕円形であってもよい。
【００２５】
図４（ａ）は、図１（ｂ）のＡ−Ａ線で壁面テレビ端子２を切断した状態を示す断面図である、図４（ａ）に示すように、第１ホルダ部９ａの内周壁には、中心軸Ｘと直交する方向において窪む窪部９ｓが形成され、第２ホルダ部９ｂの内周壁には、中心軸Ｘと直交する方向に突出する突出部９ｔが形成されている。これにより、第１ホルダ部９ａと第２ホルダ部９ｂで同軸ケーブル２０を挟んだ際に、ホルダ部９内の同軸ケーブル２０が突出部９ｔによって径方向に押し付けられる一方で、押し付けられた同軸ケーブル２０が窪部９ｓに逃げ、同軸ケーブル２０が「く」の字状に変形する。したがって、ホルダ部９からの同軸ケーブル２０の脱落が防止される。
【００２６】
また、図４（ｂ）に示すように、柱状空間９ｙの中心軸Ｘと直交する方向における第１ホルダ部９ａの断面積は同方向における第２ホルダ部９ｂの断面積よりも大きく形成されている。すなわち、第１ホルダ部９ａの断面はＣ字状に形成され、第２ホルダ部９ｂの断面は、Ｃ字の切欠部分９ｖに相当する扇状に形成されている。このため、第１ホルダ部９ａと第２ホルダ部９ｂで同軸ケーブル２０を挟み込んだ場合には、第１ホルダ部９ａの切欠部分９ｖに扇状の第２ホルダ部９ｂが嵌め込まれる形となる。これにより、第１ホルダ部９ａと第２ホルダ部９ｂで同軸ケーブル２０を挟んだ際にホルダ部９の外周に隙間ができなくなり、柱状空間９ｙが密閉される。よって、柱状空間９ｙのシールド性を向上させることができる。
【００２７】
また、第１固定部１０は、両サイドに側壁１１が形成されると共に内部に空洞１０ａが形成されており、図２における上側に第１ホルダ部９ａが固定されている。なお、空洞１０ａは、テレビ側コネクター４の内部の円柱状空間４ｂおよびホルダ部９の柱状空間９ｙと連通している。
【００２８】
また、第１固定部１０の両サイドの側壁１１は、それぞれ上壁１１ａと下壁１１ｂを有しており、下壁１１ｂの表面は上壁１１ａの表面よりも内側（空洞１０ａ側）に後退している。第１ホルダ部９ａが固定される側と反対側の端部の両サイドに位置する下壁１１ｂの表面には、それぞれ後述する溝部１２ｂに挿入される凸部１３が形成されている。
【００２９】
第２固定部１２は、上側に第２ホルダ部９ｂが固定された部品であり、第２ホルダ部９ｂと反対側の端部の両サイドに第２固定部１２を第１固定部１０に取り付けるための取付部１２ａが形成されている。この取付部１２ａには、図３に示すように第２ホルダ部９ｂを閉じた状態において、柱状空間９ｙの中心軸Ｘと直交する方向、具体的には、テレビ側コネクター４の中心軸方向（図２に示すＹ方向）に延びる溝部１２ｂが形成されている。この溝部１２ｂに凸部１３が挿入されることにより、図５に示すように、凸部１３を支点として第２固定部１２を回動させて第２ホルダ部９ｂを開閉させることができる。また、後述するように、溝部１２ｂ内で凸部１３をスライドさせることにより、第２固定部１２を柱状空間９ｙの中心軸Ｘと直交する方向（Ｙ方向）に移動させることもできる（図８（ａ）、（ｂ）参照）。
【００３０】
接続部１６は、同軸ケーブルの芯線が接続される部品であり、テレビ側の同軸ケーブルの芯線が接続される孔部１６ｄ（図１（ａ）参照）が形成された筒状部１６ａ、および壁面内の同軸ケーブル２０の芯線２０ａが挿入される孔部１６ｂが形成された筐体部１６ｃを備えている。筒状部１６ａは、テレビ側コネクター４の円柱状空間４ｂの内部に挿入され（図１（ａ）参照）、筐体部１６ｃは、第１固定部１０の空洞１０ａ内に挿入される。
【００３１】
次に、実施の形態に係る壁面テレビ端子２に壁面内の同軸ケーブル２０を接続する手順について説明する。まず、図３に示すように、壁面内の同軸ケーブル２０を壁面テレビ端子２に近づけ、ホルダ部９を締め付けているナット２２を外す。次に、図５に示すように、凸部１３を支点として第２固定部１２を回動させてホルダ部９を開き、筐体部１６ｃを露出させる。そしてこの状態で、図６に示すように、壁面内の同軸ケーブル２０をホルダ部９の柱状空間９ｙ内に配置し、壁面内の同軸ケーブル２０の芯線２０ａを筐体部１６ｃに形成された孔部１６ｂに挿入する。これにより、壁面内の同軸ケーブル２０の芯線２０ａが筐体部１６ｃ内の金属に接触する。
【００３２】
次に、図７に示すように、凸部１３を支点として第２固定部１２を回動させてホルダ部９を閉じ、ホルダ部９の雄ネジ９ｘにナット２２の内周に形成された雌ネジを螺合させ、ホルダ部９をナット２２で締めることにより、壁面テレビ端子２に壁面内の同軸ケーブル２０が接続される。
【００３３】
この実施の形態に係る壁面テレビ端子２によれば、ホルダ部９を第１ホルダ部９ａと第２ホルダ部９ｂに分割して柱状空間９ｙ内に同軸ケーブル２０を配置することができるため、同軸ケーブル２０を容易に接続することができる。また、第１ホルダ部９ａの内周壁には窪部９ｓが形成され、第２ホルダ部９ｂの内周壁には突出部９ｔが形成されているため、第２ホルダ部９ｂを閉じた際に突出部９ｔと窪部９ｓで同軸ケーブル２０を挟み込み「く」の字状に変形させることができ、同軸ケーブル２０の脱落を的確に防止できる。
【００３４】
また、柱状空間９ｙの中心軸Ｘと直交する方向における第１ホルダ部９ａの断面積は同方向における第２ホルダ部９ｂの断面積よりも大きく形成され、第１ホルダ部９ａと第２ホルダ部９ｂで同軸ケーブル２０を挟み込んだ場合には、第１ホルダ部９ａに扇状の第２ホルダ部９ｂを嵌め込む形となるため、柱状空間９ｙが隙間なく密閉され、柱状空間９ｙのシールド性を向上させることができる。
【００３５】
また、図５に示すように、第２ホルダ部９ｂを開いたときに筐体部１６ｃの孔部１６ｂが露出するため、同軸ケーブル２０挿入時に目視にて芯線２０ａの挿入が確認でき、施工性を向上させることができる。
【００３６】
また、取付部１２ａには溝部１２ｂが形成されているため、図８（ａ）に示すように、溝部１２ｂに凸部１３を挿入させたままカバー６と反対側に第２固定部１２をスライドさせて柱状空間９ｙの径を広げ、または、図８（ｂ）に示すように、カバー６側に第２固定部１２をスライドさせて柱状空間９ｙの径を狭めることができる。このように柱状空間９ｙの大きさを調節することにより、さまざまな径の同軸ケーブル２０を接続することができる。
【００３７】
また、ホルダ部９は、同軸ケーブル２０を接続するための専用構造であるため、Ｆ型接栓を用いることなく同軸ケーブル２０を接続することができる。
なお、上述の実施の形態においては、第１ホルダ部９ａの内周壁に中心軸Ｘ方向において窪む窪部９ｓが形成され、第２ホルダ部９ｂの内周壁に中心軸Ｘ方向に突出する突出部９ｔが形成されている場合を例に説明しているが、第１ホルダ部９ａの内周壁に突出部９ｔが形成され、第２ホルダ部９ｂの内周壁に窪部９ｓが形成されていてもよい。
【００３８】
また、上述の実施の形態においては、ケーブル接続器が壁面テレビ端子２である場合を例に説明しているが、ケーブル接続器は、必ずしも壁面テレビ端子２である必要はなく、分波器や分配器であってもよい。また、ケーブルは、必ずしも同軸ケーブルに限定されない。
【００３９】
また、上述の実施の形態の壁面テレビ端子２においては、テレビ側コネクター４とホルダ部９が直交するように配置されて、テレビ側の同軸ケーブルと壁面内の同軸ケーブル２０がＬ字状に直交して接続されるが、テレビ側コネクター４とホルダ部９の角度は必ずしも直交していなくてもよく、角度を設けずに配置されていてもよい。
【符号の説明】
【００４０】
２      壁面テレビ端子
４      テレビ側コネクター
４ａ    ネジ溝
４ｂ    円柱状空間
６      カバー
６ａ    開口
８      装着部
９      ホルダ部
９ａ    第１ホルダ部
９ｂ    第２ホルダ部
９ｓ    窪部
９ｔ    突出部
９ｖ    切欠部分
９ｘ    雄ネジ
９ｙ    柱状空間
１０    第１固定部
１０ａ  空洞
１１    側壁
１１ａ  上壁
１１ｂ  下壁
１２    第２固定部
１２ａ  取付部
１２ｂ  溝部
１３    凸部
１６    接続部
１６ａ  筒状部
１６ｂ  孔部
１６ｃ  筐体部
１６ｄ  孔部
２０    同軸ケーブル
２０ａ  芯線
２２    ナット
１００  テレビ端子
１０２  テレビコンセント
１０７  コンセントプレート
１０８  窓部
１０９  本体部
１１１  蓋
１１４  同軸ケーブル
１１４ａ        芯線
１１６  押さえ金具
１１８  Ｃ字部
１２０  筐体部
１２０ａ        孔部
１２２  ビス
Ｘ      柱状空間９ｙの中心軸
【図１】
2020087866.tif 000003
【図２】
2020087866.tif 000004
【図３】
2020087866.tif 000005
【図４】
2020087866.tif 000006
【図５】
2020087866.tif 000007
【図６】
2020087866.tif 000008
【図７】
2020087866.tif 000009
【図８】
2020087866.tif 000010
【図９】
2020087866.tif 000011
【図１０】
2020087866.tif 000012
【図１１】
2020087866.tif 000013